(57)【特許請求の範囲】
【請求項１】
多方向操作スイッチとロータリエンコーダとが一体化されてなる入力装置であって、
円周上に９０°間隔で配列形成された４つの周辺固定接点と、その円周の内側にその円周に沿って環状に配列形成された複数のロータリエンコーダ用接点とを有するプリント配線板と、
前記各周辺固定接点上に配置された４つの周辺可動接点と、
前記プリント配線板上に実装され、前記複数の周辺固定接点を囲む環状とされた実装固定部と、その実装固定部内に位置し、実装固定部と複数の腕部を介して連結された環状軸受部を有するハウジングと、
操作面を有し、その操作面と反対側の中央に突設された軸部が前記軸受部に軸支され、周壁部が前記周辺可動接点上に位置され、その周壁部の外周にフランジ部が設けられている回転体と、
前記軸部の先端に固定されて前記軸部を前記軸受部から抜け止めすると共に、前記ロータリエンコーダ用接点と摺接する摺動子を有する接点部材と、
前記ハウジングに取り付けられ、前記実装固定部上に位置して前記回転体を囲む環状部を有し、その環状部に前記プリント配線板側に突出する突出部を有するバネ片が周方向に配列されて４つ形成されている金属製カバーとよりなり、
前記回転体は前記腕部が弾性変形することによって傾倒操作可能とされ、その傾倒によって傾倒側の前記周辺可動接点が押圧操作され、
前記４つのバネ片の前記各突出部は前記４つの周辺可動接点と周方向同じ角度位置に位置され、
前記フランジ部は前記４つのバネ片によって前記プリント配線板方向に押圧されていることを特徴とする入力装置。
【請求項２】
請求項１記載の入力装置において、
前記軸受部の外周に前記周辺可動接点を押圧する突起が突出形成され、その突起は前記周壁部と周辺可動接点との間に挟まれていることを特徴とする入力装置。
【請求項３】
請求項１記載の入力装置において、
前記フランジ部の、前記バネ片が当接する面に凹凸が形成されていることを特徴とする入力装置。
【請求項４】
請求項１記載の入力装置において、
前記カバーに前記プリント配線板のグランド部と接触する延長部が一体形成されていることを特徴とする入力装置。
【請求項５】
請求項１記載の入力装置において、
前記軸部の前記軸受部上に位置する部分の外周面に凹凸が形成され、
その凹凸と係合する係合部を先端に有するバネが前記ハウジングに取り付けられていることを特徴とする入力装置。
【請求項６】
請求項１記載の入力装置において、
前記回転体の中央に貫通孔が形成されて、その貫通孔にボタンが配置され、
そのボタンによって押圧操作される中央スイッチが前記プリント配線板上に設けられていることを特徴とする入力装置。
【発明の詳細な説明】
【技術分野】
【０００１】
この発明は多方向操作スイッチとロータリエンコーダとが一体化されてなる入力装置に関する。
【背景技術】
【０００２】
この種の入力装置は例えば携帯電話機やデジタルカメラ、携帯情報端末などの機器の入力部に使用されている。図１２〜１３はこのような入力装置の従来例として、特許文献１に記載されている構成を示したものであり、図１２Ａは外観を示し、図１２Ｂは一部破断して内部を示したものである。また、図１３は各部に分解して示したものである。
この例では入力装置はベース１１と、ベース１１上に配置されたフレキシブルプリント配線板１２と、ベース１１上に固定されたハウジング１３と、ハウジング１３に回転可能に取り付けられたロータリエンコーダ１４と、ロータリエンコーダ１４の中央に配置されたキートップ１５と、ロータリエンコーダ１４と一体回転可能に連結された回転体（エンコーダジョグ）１６とを備えている。
【０００３】
フレキシブルプリント配線板１２はベース１１上に搭載される円形部１２ａと、その円形部１２ａから導出されたケーブル部１２ｂとよりなり、円形部１２ａの中央には中央固定接点１７が形成され、その中央固定接点１７を囲む円周上にはロータリエンコーダ用接点１８が形成されている。さらに、ロータリエンコーダ用接点１８を囲む円周上には周辺固定接点１９が９０°間隔で４つ形成されている。
中央固定接点１７上にはクリック反転するドーム状をなす中央可動接点２１が配置されて中央スイッチが構成され、同様に各周辺固定接点１９上にはドーム状をなす周辺可動接点２２が配置されて周辺スイッチが構成されている。
【０００４】
ハウジング１３は中央に開口を有する円板部１３ａと、その開口周縁から突出形成された環状軸部１３ｂとを有し、円板部１３ａには４つの周辺スイッチ押下部１３ｃが片持梁状に形成されている。
ロータリエンコーダ１４は操作リング部材２３と導電リング板２４等で構成され、操作リング部材２３の下部外周面には回転時にクリック感を出す複数のディテント凹部２３ａが形成されている。導電リング板２４はその４つの位置決め孔２４ａに操作リング部材２３に設けられているピンが貫通されて操作リング部材２３の下面に当接配置され、またこの時、各ピンにエンコーダ用摺動接点（図示せず）が導電リング板２４と接触されて取り付けられる。
【０００５】
ロータリエンコーダ１４は操作リング部材２３をハウジング１３の下側からハウジング１３の環状軸部１３ｂ内に挿入することにより、ディテント凹部２３ａが形成されている部分が環状軸部１３ｂの下面に当接して位置決めされ、ハウジング１３に対して回転可能に取り付けられる。ハウジング１３にはディテント凹部２３ａに係合するディテントバネ２５が取り付けられている。
回転体１６は中央に開口を有する環状とされ、下面側には操作リング部材２３の係止部２３ｂに係止されて回転体１６とロータリエンコーダ１４とを一体化するための係止片１６ａが９０°間隔で４つ形成されている。また、ハウジング１３の周辺スイッチ押下部１３ｃ上に位置するように下面側には環状部１６ｂが形成されている。
【０００６】
キートップ１５はロータリエンコーダ１４の中央の孔に下側から挿入して取り付けられ、このキートップ１５を取り付けたロータリエンコーダ１４と回転体１６とでハウジング１３が挟まれて、それらが一体に組み立てられ、ハウジング１３の下面に設けられているピンをベース１１の取り付け孔１１ａに挿入、固定することによって組み立てが完了する。
この入力装置では回転体１６を回転させるとロータリエンコーダ１４が回転操作され、回転体１６を傾倒させると、環状部１６ｂが傾倒側の周辺スイッチ押下部１３ｃの突起１３ｄを押し、これによって対応している周辺可動接点２２が反転して周辺スイッチが操作される。また、キートッブ１５を押下することにより中央スイッチが操作されるものとなっている。
【特許文献１】特開２００７−６６６３５号公報
【発明の開示】
【発明が解決しようとする課題】
【０００７】
ところで、上述したような構造とされた従来の入力装置では回転体１６の外周側が押し込まれることにより、回転体１６が傾倒動作するものとなっているが、この傾倒動作を可能とするためにはハウジング１３の環状軸部１３ｂ内に挿入される操作リング部材２３の係止部２３ｂに係合する回転体１６の４つの係止片１６ａと操作リング部材２３との間にはある程度の余裕（隙間）が必要であり、その分回転体１６にガタツキが生じ易いものとなっていた。
また、回転体１６はその中央開口の周縁に位置する４つの係止片１６ａのみによってロータリエンコーダ１４と連結されて組み立てられているため、例えば回転体１６を回転操作する際にわずかな力であっても回転体１６は傾き易く、この点でもガタツキが生じ易いものとなっていた。
【０００８】
この発明の目的は上述した問題に鑑み、回転操作及び傾倒操作される回転体のガタツキを防止し、良好な操作性を得られるようにした入力装置を提供することにある。
【課題を解決するための手段】
【０００９】
請求項１の発明によれば、多方向操作スイッチとロータリエンコーダとが一体化されてなる入力装置は、円周上に９０°間隔で配列形成された４つの周辺固定接点と、その円周の内側にその円周に沿って環状に配列形成された複数のロータリエンコーダ用接点とを有するプリント配線板と、各周辺固定接点上に配置された４つの周辺可動接点と、プリント配線板上に実装され、複数の周辺固定接点を囲む環状とされた実装固定部と、その実装固定部内に位置し、実装固定部と複数の腕部を介して連結された環状軸受部を有するハウジングと、操作面を有し、その操作面と反対側の中央に突設された軸部が前記軸受部に軸支され、周壁部が周辺可動接点上に位置され、その周壁部の外周にフランジ部が設けられている回転体と、前記軸部の先端に固定されて軸部を前記軸受部から抜け止めすると共に、ロータリエンコーダ用接点と摺接する摺動子を有する接点部材と、ハウジングに取り付けられ、実装固定部上に位置して回転体を囲む環状部を有し、その環状部にプリント配線板側に突出する突出部を有するバネ片が周方向に配列されて４つ形成されている金属製カバーとよりなり、回転体は前記腕部が弾性変形することによって傾倒操作可能とされ、その傾倒によって傾倒側の周辺可動接点が押圧操作され、前記４つのバネ片の前記各突出部は４つの周辺可動接点と周方向同じ角度位置に位置され、フランジ部は前記４つのバネ片によってプリント配線板方向に押圧されている。
【００１０】
請求項２の発明では請求項１の発明において、前記軸受部の外周に周辺可動接点を押圧する突起が突出形成され、その突起は前記周壁部と周辺可動接点との間に挟まれている。
請求項３の発明では請求項１の発明において、フランジ部の、前記バネ片が当接する面に凹凸が形成される。
請求項４の発明では請求項１の発明において、カバーにプリント配線板のグランド部と接触する延長部が一体形成される。
請求項５の発明では請求項１の発明において、前記軸部の前記軸受部上に位置する部分の外周面に凹凸が形成され、その凹凸と係合する係合部を先端に有するバネがハウジングに取り付けられる。
【００１１】
請求項６の発明では請求項１の発明において、回転体の中央に貫通孔が形成されて、その貫通孔にボタンが配置され、そのボタンによって押圧操作される中央スイッチがプリント配線板上に設けられる。
【発明の効果】
【００１２】
この発明によれば、回転体の外周部が押し込まれた場合、ハウジングの腕部が弾性変形し、ハウジングの軸受部が傾くことで回転体の傾倒動作が可能とされているため、回転体の軸部をガタなく軸受部によって軸支することができ、また回転体はそのフランジ部がカバーのバネ片によって抑えられているため、これらの点で回転体にはガタツキが発生しないものとなっている。従って、回転操作性・安定性に優れた入力装置を実現することができる。
なお、カバーのバネ片で回転体が抑えられているため、回転体の外周部に過大な押圧力が加わったとしてもその反対側における回転体の過大な浮き上がりを阻止することができ、よって弾性変形する腕部等に過大なストレスが加わらないものとなっている。
【発明を実施するための最良の形態】
【００１３】
この発明の実施形態を図面を参照して実施例により説明する。
図１及び２はこの発明による入力装置の第１の実施例の外観を示したものであり、図３はその断面構造を示したものである。また、図４は一部省略して内部構造を示したものであり、図５及び６は各部に分解してそれぞれ上方及び下方より見た状態を示したものである。まず、図５及び６を参照して各部の構成について説明する。
この例では入力装置は金属プレート３１と、所定のパターンが形成され、かつその上面にスイッチが構成されたフレキシブルプリント配線板３２と、ハウジング３３と、回転体３４と、抜け止め部材３５と、接点部材３６と、ボタン３７と、カバー３８とによって構成されている。
【００１４】
フレキシブルプリント配線板３２は略円形部３２ａと、その略円形部３２ａから導出されたケーブル部３２ｂとよりなり、略円形部３２ａが方形状をなす金属プレート３１上に搭載されて固定されている。略円形部３２ａの中央には中央スイッチ４１が構成され、この中央スイッチ４１を囲む円周上には周辺スイッチ４２が構成されている。周辺スイッチ４２はこの例では９０°間隔で４つ配列されている。これら周辺スイッチ４２が配列されている円周と中央スイッチ４１との間にはロータリエンコーダ用接点４３が円周に沿って環状に配列形成されている。図５中、点々を付した電極４３ａは例えばａ相電極を示し、斜線を施した電極４３ｂはｂ相電極を示す。また、４３ｃはグランド電極を示す。
【００１５】
中央スイッチ４１はこの例ではフレキシブルプリント配線板３２に形成された中央固定接点と、その上に配置されたドーム状をなす中央可動接点４１ａ（図３参照）とよりなり、この中央可動接点４１ａがクリック反転することによってＯＮ／ＯＦＦ動作するものとされる。同様に、周辺スイッチ４２はフレキシブルプリント配線板３２に形成された周辺固定接点と、その上に配置されたドーム状をなす周辺可動接点４２ａ（図３参照）とよりなり、周辺可動接点４２ａがクリック反転することによってＯＮ／ＯＦＦ動作するものとされる。なお、中央可動接点４１ａ上には円形のカバーシート４４が被され、一方４つの周辺可動接点４２ａ上にはリング状をなすカバーシート４５が被され、これらカバーシート４４，４５によって中央可動接点４１ａ及び周辺可動接点４２ａはそれぞれ所定の位置に位置決め固定されている。
【００１６】
金属プレート３１の４隅にはこの入力装置の取り付け固定用の一対の穴３１ａ及び位置決め用の穴３１ｂ，３１ｃが形成されており、また一体化された金属プレート３１、フレキシブルプリント配線板３２及びカバーシート４４，４５にはそれらを貫通してハウジング３３取り付け用の４つの穴４６、ボタン３７取り付け用の２つの穴４７及びボタン３７位置決め用の穴４８が形成されている。
ハウジング３３は環状をなし、４つの周辺スイッチ４２を囲む大きさの実装固定部３３ａと、その実装固定部３３ａ内の中央に位置する環状の軸受部３３ｂと、それら実装固定部３３ａと軸受部３３ｂとを連結する腕部３３ｃとを有している。腕部３３ｃは周方向に延伸されて形成されており、この例では等角間隔で４つ設けられている。
【００１７】
なお、実装固定部３３ａにはその下面側において内周面上に突出する板状の突出部３３ｄが４つ形成され、さらにその突出部３３ｄに続いて実装固定部３３ａと同等高さ（厚さ）の連結部３３ｅがそれぞれ形成されており、これら連結部３３ｅの上部側に各腕部３３ｃの一端側がそれぞれ連結されている。一方、各腕部３３ｃの他端側は軸受部３３ｂの外周面に突出された突出部３３ｆにそれぞれ連結されている。４つの突出部３３ｆの先端下面側にはそれぞれ突起３３ｇがさらに突出形成されている。
軸受部３３ｂ及び４つの腕部３３ｃは厚さが小とされて実装固定部３３ａの下面より上方に浮いて位置されており、４つの突起３３ｇはその上面が実装固定部３３ａの突出部３３ｄの上面より上に位置され、下面は実装固定部３３ａの下面より上に位置されている。また、各突出部３３ｄの下面にはボス３３ｈが形成されており、軸受部３３ｂの下面には幅狭の突条３３ｉが２本同心円をなして形成されている。なお、実装固定部３３ａの外周面にはカバー３８取り付け固定用の係止爪３３ｊが４つ形成されている。
【００１８】
回転体３４は円形状の操作面３４ａを有し、その操作面３４ａと反対側（裏面側）中央には軸部３４ｂが突出形成されている。軸部３４ｂは大径部３４ｃと小径部３４ｄとよりなり、先端側の小径部３４ｄの先端面にはボス３４ｅが３つ形成されている。操作面３４ａの外周には周壁部３４ｆが形成されており、周壁部３４ｆの外周下端側にはさらにフランジ部３４ｇが形成されている。回転体３４の中央には貫通孔３４ｈが形成されており、この貫通孔３４ｈを囲む操作面３４ａの内周側部分はテーパ面３４ｉとされ、つまりさら穴形状をなすものとされており、また外周側部分には放射状に多数の微小凸部３４ｊが形成されている。
【００１９】
抜け止め部材３５はドーナツ板状をなし、回転体３４のボス３４ｅが挿通される３つの穴３５ａが形成されている。
接点部材３６はリング形状とされ、その周方向３箇所には摺動子３６ａが切り起こされて形成されている。また、抜け止め部材３５と同様、回転体３４のボス３４ｅが挿通される３つの穴３６ｂが形成されている。
ボタン３７は押圧操作面を構成する円柱状部３７ａと、その下面中央に突出形成された押圧突起３７ｂと、円柱状部３７ａの下面周縁部から突出形成された一対の脚部３７ｃとを有する。これら脚部３７ｃは円柱状部３７ａの下面から突出された後、周方向に延伸され、さらに一段下がって周方向に延伸された形状とされている。なお、一対の脚部３７ｃの各先端下面には組み立て用のボス３７ｄがそれぞれ突出形成され、さらに一方の脚部３７ｃの先端下面には図５，６では隠れて見えないが、小径の位置決め用のボスが突出形成されている。また、円柱状部３７ａの下端には大径部３７ｅが設けられている。
【００２０】
カバー３８は環状部３８ａと、この環状部３８ａの外周側に折り曲げ形成された４つの係止部３８ｂを有し、各係止部３８ｂにはハウジング３３の係止爪３３ｊと係合する係止窓３８ｃが形成されている。また、環状部３８ａにはその周方向４箇所に、周方向にスリット３８ｄを形成することによって周方向に延伸する幅狭のバネ片３８ｅが形成されている。これらバネ片３８ｅは両持ち梁構造とされており、その中央部には下方に（係止部３８ｂ曲げ方向に）くの字状に突出する突出部３８ｆが形成されている。
カバー３８は金属製とされ、例えばバネ性を有するステンレス材によって形成される。回転体３４、ハウジング３３及びボタン３７は樹脂製とされる。抜け止め部材３５は例えばステンレス板によって形成され、接点部材３６は例えばリン青銅板を加工することによって形成され、その表面にはＡｕメッキが施されている。金属プレート３１は例えばステンレス製とされる。なお、抜け止め部材は樹脂製としてもよい。
【００２１】
各部の組み立ては以下のようにして行われる。
即ち、まずハウジング３３の軸受部３３ｂに上方から回転体３４の軸部３４ｂの先端側の小径部３４ｄを挿入し、軸受部３３ｂの下側から抜け止め部材３５及び接点部材３６を回転体３４に取り付ける。この取り付けは抜け止め部材３５及び接点部材３６の各３つの穴３５ａ，３６ｂに回転体３４のボス３４ｅを挿入し、ボス３４ｅの先端を熱カシメ（熱溶着）することによって行われ、これにより回転体３４は抜け止め部材３５によって抜け止めされて軸受部３３ｂに回転自在に軸支され、接点部材３６は回転体３４と一体に回転するものとなる。
【００２２】
カバー３８はハウジング３３の上方側からハウジング３３に被せられ、４つの係止部３８ｂの係止窓３８ｃにハウジング３３の係止爪３３ｊがそれぞれ位置されて、ハウジング３３に取り付け固定される。
次に、金属プレート３１に搭載固定されているフレキシブルプリント配線板３２に対してボタン３７が取り付けられる。この取り付けはボタン３７に形成されている位置決め用のボスを穴４８に挿入し、組み立て用の２つのボス３７ｄを穴４７に挿入して、それらボス３７ｄの先端を熱カシメすることによって行われる。
【００２３】
次に、ハウジング３３の４つのボス３３ｈを穴４６に挿入し、ボス３３ｈの先端を熱カシメすることによって回転体３４、抜け止め部材３５、接点部材３６及びカバー３８が取り付けられたハウジング３３がフレキシブルプリント配線板３２上に実装され、組み立てが完了する。なお、ボタン３７は回転体３４の貫通孔３４ｈに位置して操作面３４ａから突出されている。
各周辺スイッチ４２の周辺可動接点４２ａ上には図３及び４に示したようにハウジング３３の突起３３ｇが当接して位置し、突起３３ｇの上面には回転体３４の周壁部３４ｆが当接して突起３３ｇは周壁部３４ｆと周辺可動接点４２ａとの間に挟まれた状態となる。同様に、中央スイッチ４１の中央可動接点４１ａ上にはボタン３７の押圧突起３７ｂが当接して位置する。ボタン３７はその大径部３７ｅが回転体３４によって抜け止めされている。接点部材３６の３つの摺動子３６ａは、その先端がロータリエンコーダ用接点４３と接触され、これら摺動子３６ａとロータリエンコーダ用接点４３とでロータリエンコーダが構成される。
【００２４】
一方、カバー３８の環状部３８ａはハウジング３３の実装固定部３３ａ上に位置して回転体３４を囲み、環状部３８ａに設けられている４つのバネ片３８ｅの突出部３８ｆが図３に示したように回転体３４のフランジ部３４ｇに弾接する。これによりフランジ部３４ｇは下方に、つまりフレキシブルプリント配線板３２方向に押圧された状態となる。なお、４つのバネ片３８ｅの突出部３８ｆはハウジング３３の４つの突起３３ｇと周方向同じ位置（角度位置）に位置される。
上記のような構成とされた入力装置では回転体３４の操作面３４ａの外周部の一部が押し込まれた場合、ハウジング３３の腕部３３ｃが弾性変形し、軸受部３３ｂが傾くことで回転体３４の傾倒動作が可能とされている。そして、回転体３４の傾倒により傾倒側の突起３３ｇが回転体３４の周壁部３４ｆによって押され、この突起３３ｇによって対応する周辺スイッチ４２の周辺可動接点４２ａが押圧操作されて、押圧操作された周辺スイッチ４２がＯＮとなる。
【００２５】
操作面３４ａへの押圧力を解除すると、周辺可動接点４２ａの復元力と腕部３３ｃの弾性復元力によって回転体３４は元の位置に復帰し、周辺スイッチ４２はＯＦＦとなる。
回転体３４が回転操作されると、回転体３４と共に接点部材３６が回転し、その摺動子３６ａがロータリエンコーダ用接点４３と摺接してロータリエンコーダ用接点４３上を移動する。この移動を電気的に検出することによって回転体３４の回転が検出される。
一方、ボタン３７が押し込まれると、その一対の脚部３７ｃが弾性変形し、押圧突起３７ｂによって中央スイッチ４１の中央可動接点４１ａが押圧操作されて中央スイッチ４１がＯＮとなる。押圧が解除されると、中央可動接点４１ａの復元力と脚部３７ｃの弾性復元力によってボタン３７の押圧操作面は元の位置に復帰し、中央スイッチはＯＦＦとなる。
【００２６】
上述したように、この例ではハウジング３３の腕部３３ｃが弾性変形し、軸受部３３ｂが傾くことで、回転体３４の傾倒操作が可能とされているため、軸受部３３ｂに軸支される回転体３４の軸部３４ｂ（小径部３４ｄ）と軸受部３３ｂとの間には余裕（隙間）は必要ではなく、よってガタなく回転体３４の軸部３４ｂを軸支することができる。
また、回転体３４はこのように軸支されると共に、そのフランジ部３４ｇがカバー３８のバネ片３８ｅによって抑えられ、水平に安定に保持されているため、回転操作時においてガタつくことはなく、またわずかな力で傾くといったことは発生せず、よって安定に回転操作することができるものとなっている。
【００２７】
さらに、このように複数のバネ片３８ｅを有するカバー３８が設けられているため、回転体３４の傾倒操作時にはその押圧操作側と反対側に位置するバネ片３８ｅがフランジ部３４ｇに押されて上方へ弾性変形することになり、押圧操作が解除されると、そのバネ片３８ｅの弾性復元力が回転体３４を元の位置に復帰させる力として作用するため、その点でハウジング３３の腕部３３ｃの動作を補助することができ、つまり腕部３３ｃの耐久性向上に寄与する。
加えて、例えば回転体３４の傾倒操作時に過大な押圧力が回転体３４に付加されたとしても、カバー３８によって回転体３４の反対側の過大な浮き上がりが阻止されるため、例えば腕部３３ｃに大きなストレスが加わるといった状況を回避することができる。
【００２８】
さらに、ロータリエンコーダ用接点４３に圧接されている摺動子３６ａの反力として、ハウジング３３の軸受部３３ｂや腕部３３ｃには上向きの力が加わっているものの、これに対抗する下向きの力がカバー３８のバネ片３８ｅによりフランジ部３４ｇを介して軸受部３３ｂに形成されている突起３３ｇに加わるため、例えば腕部３３ｃが摺動子３６ａによる上向きの力と熱（使用環境の温度上昇）とによって変形し、これにより摺動子３６ａのロータリエンコーダ用接点４３に対する接触圧不良が生じるといった問題を回避することができる。
【００２９】
図７はこの発明の第２の実施例を示したものであり、この例では回転体３４のフランジ部３４ｇの、カバー３８のバネ片３８ｅが当接する面に全周に渡って凹凸を形成したものである。このような凹凸部３４ｋを設けることによって回転体３４の回転操作時に、その操作感触を得ることができ、また凹凸部３４ｋの凹部と、その凹部に係合するバネ片３８ｅのくの字状突出部３８ｆとによってディテント機構を構成することができる。
図８はこの発明の第３の実施例として、カバー３８に延長部３８ｇを一体形成したものであり、延長部３８ｇは係止部３８ｂと同一方向に折り曲げ形成されている。この延長部３８ｇはカバー３８がハウジング３３に取り付けられ、そのハウジング３３がフレキシブルプリント配線板３２上に実装された際に、フレキシブルプリント配線板３２のグランド部と接触するものとされる。なお、この例ではフレキシブルプリント配線板３２のグランド部と金属プレート３１とが導通されて金属プレート３１がグランドをなすものとされ、延長部３８ｇはこの金属プレート３１の側面に圧接するように形成されている。
【００３０】
このような延長部３８ｇを設けることにより静電気を逃がす経路を確保することができ、指で回転体３４を操作する際に、例えば人体に帯電した静電気が、各スイッチおよびロータリエンコーダの信号ライン経由で接続先の回路（図示せず）に入り、誤動作が発生するといった不具合を回避することができる。
次に、図９〜１１に示したこの発明の第４の実施例について説明する。
図７に示した第２の実施例では回転体３４のフランジ部３４ｇに凹凸部３４ｋを設けることによって、回転体３４とカバー３８のくの字状突出部３８ｆとによりディテント機構を構成し、回転体３４の回転操作時にクリック感触を得られるようにしているが、この例ではフランジ部３４ｇに凹凸部３４ｋを設けるのではなく、回転体３４の軸部３４ｂの大径部３４ｃの外周面に、つまり軸部３４ｂの、ハウジング３３の軸受部３３ｂ上に位置する部分の外周面に全周に渡って凹凸を形成し、この凹凸部３４ｍと係合するバネ５１を設けたものである。
【００３１】
バネ５１は一対のバネ片５１ａとそれらの基端をつなぐ取り付け部５１ｂとよりなり、例えばリン青銅やバネ性を有するステンレス製とされる。一対のバネ片５１ａの遊端側にはくの字状に互いに内向きに折り曲げられて凹凸部３４ｍの凹部と係合する係合部５１ｃが形成されている。取り付け部５１ｂには取り付け用の穴５１ｄが形成されている。
バネ５１はハウジング３３に取り付けられ、この例ではハウジング３３の連結部３３ｅの１箇所にボス３３ｋが形成され、このボス３３ｋに穴５１ｄが挿通され、ボス３３ｋの先端を熱カシメすることによってバネ５１がハウジング３３に取り付けられる。なお、ハウジング３３の軸受部３３ｂの外周にはバネ片５１ａの基端側に当接して、それらバネ片５１ａの互いに近接する方向への、つまりハウジング３３の軸受部３３ｂ上への動きを規制するストッパ３３ｍが一対設けられている。ディテント機構としてこの図９〜１１に示したような構成を採用することもできる。
【００３２】
上述した各実施例では入力装置は回転体３４の中央開口にボタン３７が配置され、そのボタン３７によって操作される中央スイッチ４１を具備するものとなっているが、用途に応じてボタン３７、中央スイッチ４１のない構成とすることもできる。また、接点部材３６とは別に抜け止め部材３５を具備するものとなっているが、抜け止め部材３５をなしとし、接点部材３６が回転体３４の軸部３４ｂの先端に固定されて軸部３４ｂを軸受部３３ｂから抜け止めするものとしてもよい。
さらに、各種接点、スイッチが形成されるプリント配線板として、フレキシブルプリント配線板３２を使用し、金属プレート３１によってそれを搭載支持する構成を採用しているが、このような構成に替え、リジッドなプリント配線板を使用してもよい。
【００３３】
さらに、ハウジング３３に周辺可動接点４２ａを押圧する突起３３ｇが一体形成されているが、例えば周辺可動接点４２ａ上に突起３３ｇと同等の機能を有する小ブロック（小片）を搭載固定するようにしてもよく、この場合はハウジング３３の突起３３ｇは不要となる。なお、周辺スイッチ４２及び中央スイッチ４１は上述した実施例ではプリント配線板に形成された固定接点と、その固定接点上に配置されたドーム状可動接点とよりなるものとしているが、押圧（押し込み）操作されるものであれば他の形態のスイッチであってもよい。
【図面の簡単な説明】
【００３４】
【図１】この発明による入力装置の第１の実施例を示す図、Ａは平面図、Ｂは正面図、Ｃは底面図。
【図２】図１に示した入力装置の斜視図。
【図３】図１に示した入力装置の断面図。
【図４】図１に示した入力装置の一部省略した斜視図。
【図５】図１に示した入力装置を分解して上方から見た斜視図。
【図６】図１に示した入力装置を分解して下方から見た斜視図。
【図７】この発明による入力装置の第２の実施例を説明するための分解斜視図。
【図８】この発明による入力装置の第３の実施例を説明するための分解斜視図。
【図９】この発明による入力装置の第４の実施例を説明するための分解斜視図（上方から見た図）。
【図１０】この発明による入力装置の第４の実施例を説明するための分解斜視図（下方から見た図）。
【図１１】この発明による入力装置の第４の実施例の一部省略した斜視図。
【図１２】Ａは入力装置の従来構成例を示す斜視図、Ｂは一部破断してその内部構造を示した斜視図。
【図１３】図１２に示した入力装置の分解斜視図。
【図１】
0004472730.tif 000002
【図２】
0004472730.tif 000003
【図３】
0004472730.tif 000004
【図４】
0004472730.tif 000005
【図５】
0004472730.tif 000006
【図６】
0004472730.tif 000007
【図７】
0004472730.tif 000008
【図８】
0004472730.tif 000009
【図９】
0004472730.tif 000010
【図１０】
0004472730.tif 000011
【図１１】
0004472730.tif 000012
【図１２】
0004472730.tif 000013
【図１３】
0004472730.tif 000014